(57)【要約】【課題】表示画像のアングル方向やアスペクト比によらず、簡単な操作で視認性に欠けることの無い画像表示装置を提供する。【解決手段】ユーザがライブビュー表示のアングル方向及びアスペクト比を選択すると（ステップＳ２０１）、当該アングル方向及びアスペクト比に対応した背景フレームが選択される（ステップＳ２０２）。続いて、余剰領域の判定が行われ（ステップＳ２０３）、余剰領域と判定された領域にアイコンが配置される（ステップＳ２０４）。表示画像のアングル方向やアスペクト比を変更すると、ステップＳ２０１〜ステップＳ２０４の処理によりアイコンの配置が変更されるため、視認性の向上を図ることができる。【選択図】図２
2007180931.tif 000002
【特許請求の範囲】
【請求項１】
画像を表示する表示部と、
前記画像の表示形式を設定する画像表示設定手段と、
前記画像表示設定手段で設定された表示形式に基づいて前記表示部に表示する設定情報の配置を決定する設定情報配置決定手段と
を具備することを特徴とする画像表示装置。
【請求項２】
画像を表示する表示部と、
筐体の動作を検知する動作検知手段と、
前記動作検知手段に基づいて前記画像の表示形式を設定する画像表示設定手段と
を具備することを特徴とする画像表示装置。
【請求項３】
前記画像表示設定手段で設定された表示形式に基づいて前記表示部に表示する設定情報の配置を決定する設定情報配置決定手段をさらに具備することを特徴とする請求項２に記載の画像表示装置。
【請求項４】
前記表示形式は、前記画像のアングル方向又はアスペクト比の何れかの情報を含むことを特徴とする請求項1から請求項３のいずれか１項に記載の画像表示装置。
【請求項５】
請求項１から請求項４の何れか1項に記載の画像表示装置と、被写体の像を撮像する撮像素子とを具備し、
前記表示部は、前記撮像素子で撮像された画像を表示することを特徴とする撮像装置。
【請求項６】
前記画像表示設定手段で設定された表示形式に基づいて当該画像を記憶する記憶手段をさらに具備することを特徴とする請求項５に記載の撮像装置。
【請求項７】
前記表示部は、前記撮像素子によるライブビュー画像又はスチル画像のいずれかを表示することを特徴とする請求項５又は請求項６に記載の撮像装置。
【発明の詳細な説明】
【技術分野】
【０００１】
本発明は、表示画像のアングル方向やアスペクト比の変更が可能な画像表示装置及び撮像装置に関する。
【背景技術】
【０００２】
従来、ＤＳＣ(Digital Still Camera)やＤＶＣ(Digital Video Camera)等の撮像装置においては、その表示部に撮像した画像を表示すると共に、ＯＳＤ(On-Screen Display)として撮像装置の設定情報等を表示する。ＯＳＤの表示内容及び表示位置は予め設定等で決められている。
【０００３】
一方、撮像装置でライブビュー表示を行う際にアングル方向やアスペクト比を変更すると、表示部における画像の表示位置が変化する。なお、ライブビュー表示とは、今現在撮像された画像をリアルタイムに表示する機能を指す。
【０００４】
また、撮像装置で画像ファイルを表示する場合も、表示する画像のアングル方向やアスペクト比によって、表示部における画像の表示位置が異なる。このように、従来の撮像装置では、画像の表示領域はアングル方向やアスペクト比によって異なる。
なお、本出願に関する従来技術の参考文献として、特許文献1及び特許文献２が知られている。
【特許文献１】特開２００３−１３４３７８号公報
【特許文献２】特開２００５−０５７５４０号公報
【発明の開示】
【発明が解決しようとする課題】
【０００５】
しかし、従来の撮像装置は、表示部における画像の表示領域はアングル方向やアスペクト比によって異なるため、ユーザが見やすいように画像を表示させるためには、表示する画像ごとにユーザが撮像装置の表示設定を変更する必要があり、設定変更の操作が煩雑であるという課題があった。
【０００６】
本発明は上記事情を考慮してなされたもので、その目的は、表示画像のアングル方向やアスペクト比によらず、簡単な操作で視認性に欠けることの無い撮像装置を提供することにある。
【課題を解決するための手段】
【０００７】
本発明は上記の課題を解決するためになされたもので、請求項1に記載の発明は、画像を表示する表示部と、前記画像の表示形式を設定する画像表示設定手段と、前記画像表示設定手段で設定された表示形式に基づいて前記表示部に表示する設定情報の配置を決定する設定情報配置決定手段とを具備することを特徴とする画像表示装置である。
【０００８】
上記構成の画像表示装置によれば、画像設定手段で設定された画像の表示形式を設定すると、当該画像とともに表示される設定情報の配置を当該表示形式に基づいて決定するため、設定情報の表示が画像に影響を与えないように表示部に設定情報を配置することが可能である。
【０００９】
また、請求項２に記載の発明は、画像を表示する表示部と、筐体の動作を検知する動作検知手段と、前記動作検知手段に基づいて前記画像の表示形式を設定する画像表示設定手段とを具備することを特徴とする画像表示装置である。
【００１０】
上記構成の画像表示装置によれば、ユーザは筐体を動作させることにより、表示における画像の表示形式を変更することが可能である。
【００１１】
また、請求項３に記載の発明は、請求項２に記載の発明において、前記画像表示設定手段で設定された表示形式に基づいて前記表示部に表示する設定情報の配置を決定する設定情報配置決定手段をさらに具備することを特徴とする。
【００１２】
また、請求項４に記載の発明は、請求項1から請求項３のいずれか１項に記載の発明において、前記表示形式は、前記画像のアングル方向又はアスペクト比の何れかの情報を含むことを特徴とする。
【００１３】
また、請求項５に記載の発明は、請求項１から請求項４の何れか1項に記載の画像表示装置と、被写体の像を撮像する撮像素子とを具備し、前記表示部は、前記撮像素子で撮像された画像を表示することを特徴とする撮像装置である。
【００１４】
また、請求項６に記載の発明は、請求項５に記載の発明において、前記画像表示設定手段で設定された表示形式に基づいて当該画像を記憶する記憶手段をさらに具備することを特徴とする。
【００１５】
また、請求項７に記載の発明は、請求項５又は請求項６に記載の発明において、前記表示部は、前記撮像素子によるライブビュー画像又はスチル画像のいずれかを表示することを特徴とする。なお、ライブビュー画像とは撮像素子にて撮像された画像をリアルタイムに表示する動画像を指し、スチル画像とは撮像素子にて撮像された静止画像を指す。
【発明の効果】
【００１６】
本発明の画像表示装置によれば、ユーザは筐体を動作させることにより、表示における画像の表示形式を変更することが可能であるため、ユーザは直感的な操作で容易に意図した表示形式を選択することができる。さらに、画像設定手段で設定された画像の表示形式を設定すると、当該画像とともに表示される設定情報の配置を当該表示形式に基づいて決定するため、設定情報の表示が画像に影響を与えないように表示部に設定情報を配置することが可能となる。したがって、画像の表示形式によらず、設定情報の表示と重なって視認性が欠けることがない。
【発明を実施するための最良の形態】
【００１７】
以下、図面を参照して本発明の実施形態について説明する。
図１は、本発明の実施形態に係る撮像装置の構成を示す構成図である。図１において、撮像装置１内の鏡筒１０は、ＣＣＤ部１１に被写体の像を結像させるためのレンズ及びこのレンズを駆動する焦点調整モータ、ズームモータ等で構成される。
【００１８】
ＣＣＤ部１１は、鏡筒１０により結像された像に光電変換を行うＣＣＤ(Charge Coupled Device)であり、ＴＧ部１３より入力するタイミング信号に基づいてアナログの画像信号を出力するものである。ＡＦＥ部１２は、ＴＧ部１３より入力するタイミング信号に基づいて、ＣＣＤ部１１より入力したアナログの画像信号をデジタルの画像データへと変換するＡＦＥ(Analog Front End)である。
【００１９】
ＴＧ部１３は、ＤＢＥ部１８からの指示を入力し、ＣＣＤ部１１及びＡＦＥ部１２を制御するための各種タイミング信号を生成し出力するタイミングジェネレータである。モータドライバ１４は、鏡筒１０内の焦点調整モータ、ズームモータ等を駆動するものである。
【００２０】
センサ１５は、筐体の振動を検知し、ＤＢＥ部１８へ検知結果を出力するセンサであり、例えば加速度センサやジャイロセンサである。シャッタボタン１６は、ユーザが撮影を行う時に押下するシャッタボタンである。操作ボタン１７は、ユーザによる押下を検出した時に対応する信号をＤＢＥ部１８へと出力する各種の操作ボタンである。
【００２１】
ＤＢＥ部１８は、画像信号処理や、ＬＣＤ部１９やメモリ、外部インタフェース等の制御を行うものである。ＤＢＥ部１８内の画像信号処理部１８１は、画像信号の処理を行うものである。
【００２２】
画像信号処理部１８１内の静止画信号処理部１８２は、ＡＦＥ部１２から入力したデジタルの画像データの処理を行い、バスライン１８９へと出力するものである。符号化回路１８３は、バスライン１８９から画像データを入力し符号化処理を行うものである。ＣＰＵ１８４は、ＤＢＥ部１８内の各部を制御するＣＰＵ(Central Processing Unit)である。
【００２３】
ＬＣＤ制御部１８５は、デジタルの画像データやＯＳＤをＬＣＤ部１９で表示可能な形式に変換し出力するものである。メモリカード制御部１８６は外部記憶媒体２０に対する読み取り・書き込みの動作を制御するものである。メモリ制御部１８７は、内蔵ＲＡＭ２１及びフラッシュＲＯＭ２２への読み取り・書き込みの動作を制御するものである。
【００２４】
外部インタフェース１８８は、ＵＳＢ端子２３を介しての外部機器（図示しない）との接続を制御するものである。バスライン１８９は、ＤＢＥ部１８内の各部を相互に制御するバスラインである。
【００２５】
ＬＣＤ部１９は、ＬＣＤ制御部１８５からの出力を表示するＬＣＤ(Liquid Crystal Display)である。外部記憶媒体２０は、画像データ等を保持する外部の記憶媒体であり、メモリカード制御部１８６により画像データ等の読み取り・書き込みが行われるものである。
【００２６】
内蔵ＲＡＭ２１は、撮像によって得られるデジタルの画像データを一時的に記憶するほか、ＣＰＵ１８４における処理におけるデータを記憶するＲＡＭ(Random Access Memory)である。フラッシュＲＯＭ２２は、ＣＰＵ１８４が実行するプログラム及び各種の定数データを記憶するものである。
【００２７】
続いて、上述した実施形態の動作を図２〜図６を参照して説明する。図２はライブビュー表示において、ＬＣＤ部１９における各種アイコン（ＯＣＤ）の表示位置を決定する手順を示すフローチャートである。ライブビュー表示では、ＣＣＤ部１１から出力される画像信号がＡＦＥ部１２、静止画処理部１８２、ＬＣＤ制御部１８５を介してリアルタイムでＬＣＤ部１９に表示される。
【００２８】
図２のフローチャートにおいて、まずユーザはアングル方向及びアスペクト比の指定を行い（ステップＳ２０１）、ＣＰＵ１８４はユーザによる指定に基づいて背景フレームを選択する（ステップＳ２０２）。ここでのアングル方向及びアスペクト比の指定は撮像装置１の筐体をユーザが振動させることにより行う。以下では、図３及び図４を参照し、ステップＳ２０１及びステップＳ２０２における処理を詳細に説明する。
【００２９】
図３は撮像装置１を背面から見た斜視図である。図３において、操作ボタン１７１〜１７７は図１で示した操作ボタン１７を具体的に示したものであり、ユーザは操作ボタン１７１〜１７７を適宜操作することにより各種機能の選択・決定・キャンセルを行うことができる。
【００３０】
図３の（ａ）はアングル方向が横、アスペクト比が４：３の場合であり、ＬＣＤ部１９におけるライブビュー表示の領域は符号１９１ａで示された範囲となる。一方、図３の（ｂ）はアングル方向が縦、アスペクト比が４：３の場合であり、ＬＣＤ部１９におけるライブビュー表示の領域は符号１９１ｂで示された範囲となる。
【００３１】
図４はアングル方向及びアスペクト比の設定と背景フレームとの対応関係を示した図であり、図３（ａ）の場合は図４（１）の背景フレームが選択され、図３（ｂ）の場合は図４（５）が選択される。
【００３２】
なお、外部記憶媒体２０等への記録はステップＳ２０１で選択されたアングル方向及びアスペクト比で行われる。そのため、本実施形態の撮像装置１で記録した画像を別の撮像装置やパソコン等で表示する場合もユーザの意図したように表示される。
【００３３】
具体的には、撮像装置を傾けることでアングル方向を縦に調整する従来の方法では、撮影した画像を別の撮像装置やパソコン等で表示すると、画像が９０度回転して横向きに表示され、ユーザが意図したようには表示されない。本実施形態では、アングル方向を縦に指定するとそのアングル方向で画像が記録されるため、別の撮像装置やパソコン等でも縦向きに表示され、常にユーザの意図したように表示される。
【００３４】
図４に戻って、図４（１）の背景フレームが選択されている状態でユーザが筐体を１回振動させると、その振動がセンサ１５で検知されてＤＢＥ部１８へと出力される。ＣＰＵ１８４がセンサ１５の検知結果を入力すると、ライブビュー表示の設定をアングル方向が横、アスペクト比が１６：９に変更となり、図４（２）の背景フレームを選択する。
【００３５】
さらにユーザが筐体を１回振動させると、ライブビューの表示が正方表示となり、ＣＰＵ１８４では図４（３）の背景フレームが選択される。このように、本実施形態ではユーザが筐体を振動させる毎にアングル方向及びアスペクト比の設定が変化し、図４（１）、図４（２）、…、図４（５）の順にＣＰＵ１８４で背景フレームが選択される。
【００３６】
アングル方向及びアスペクト比の設定が終了し、背景フレームが選択されると、静止画処理部１８２はＡＦＥ１２から出力される画像データから、当該背景フレームのライブビュー表示領域に該当する画像データのみを選択して出力する。本実施形態では、アングル方向及びアスペクト比の変更を静止画処理部１８２で出力画像データの選択によって行うため、ユーザは撮像装置１を傾けることなく様々なアングル方向及びアスペクト比の画像を撮影することができる。
【００３７】
ここで、ライブビュー表示領域の画像データだけでなく、ライブビュー表示領域の範囲外の画像データも一時的に内蔵ＲＡＭ２１等に記憶することで、撮影後のプレビュー表示等で上記範囲外の画像データを利用して表示領域の調整を行うことが可能となる。したがって、ユーザは再度撮影を行うことなく、一度撮影した画像の表示領域を調整することができる。
【００３８】
本実施形態では筐体の振動を検出してアングル方向及びアスペクト比の設定を変更する方法を説明したが、複数軸方向に感度を持つセンサを用い、センサの検出結果を予め定められたパターンと照合することによってアングル方向及びアスペクト比の設定を変更する方法でもよい。
【００３９】
センサが複数軸方向に感度を持つ場合には、筐体の振動方向を検知できるため、例えば図３（ａ）の状態からユーザがＬＣＤ部１９の縦方向に振動させると、アングルが縦方向に変更されて図３（ｂ）の状態になるという方法が可能である。
【００４０】
また、筐体の振動だけでなく、筐体の傾き、速度、加速度といった物理量の検知結果あるいはそれら検知結果の組み合わせに応じてアングル方向及びアスペクト比の設定を変更するようにしてもよい。このように、ユーザが操作ボタン１７１〜１７７によって操作するのではなく、ユーザが撮像装置を動かすことによりアングル方向やアスペクト比を設定可能とすることで直感的な操作ができる。
【００４１】
図２に戻って、背景フレームの選択が終了すると、続いて、ＣＰＵ１８４はライブビュー画像が表示されない、またはＯＣＤを配置してもライブビューの画像に影響を与えない余剰領域の判定を行う（ステップＳ２０３）。
【００４２】
具体的には、図４の（１）、（２）の背景フレームが選択されている場合には上下の領域が余剰領域と判定され、図４の（４）、（５）の背景フレームが選択されている場合は左右の領域が余剰領域と判定される。図４（３）の場合には、例えば、表示する全画素データと背景の画素データとの差分を取り、差分の結果で背景との差が小さい領域を余剰領域と判定する。余剰領域の判定が終了すると、最後に余剰領域と判定された領域にＯＳＤとしてアイコンの配置を行う（ステップＳ２０４）。
【００４３】
図５及び図６がＬＣＤ部１９におけるアイコン配置を示した図である。図５は、アングル方向が横、アスペクト比が１６：９（すなわち、図４（２）の背景フレーム）の場合であり、図６はアングル方向が縦、アスペクト比が１６：９（すなわち、図４（４）の背景フレーム）の場合である。
【００４４】
図５において、余剰領域の判定では（ａ）に示すように上下の領域が余剰領域と判定されるため、（ｂ）に示すようにアイコンはその上下の領域に配置される。一方、図６においては、余剰領域の判定では（ａ）に示すように左右の領域が余剰領域と判定されるため、（ｂ）に示すようにアイコンはその左右の領域に配置される。なお、余剰領域の面積に応じて表示するアイコンの種類等を変更してもよい。
【００４５】
以上がライブビュー表示において、ＬＣＤ部１９における各種アイコン（ＯＣＤ）の表示位置を決定する手順であるが、アングル方向またはアスペクト比の設定が変更される毎に上記の手順を行うことで、撮影した画像の余剰領域にＯＳＤが常に配置されるため、視認性の向上を図ることができる。
【００４６】
ライブビュー表示ではなく、ＣＣＤ部１１により撮像されたスチル画像や、外部記憶媒体２０等に記録された画像をＬＣＤ部１９で表示する際にも、ステップＳ２０３で前述した手順で余剰領域の判定を行うことでアングル方向及びアスペクト比を認識することが可能である。外部記憶媒体２０等に記録された動画像を再生する場合も同様である。
【００４７】
さらにステップＳ２０４で前述した手順でＯＳＤの配置を行うことで、ＯＳＤの表示を画像の余剰領域に配置することが可能となる。このため、画像の表示においてもライブビュー表示と同様に視認性の向上を図ることができる。
【００４８】
以上、本発明の実施形態を詳述してきたが、具体的な構成は本実施形態に限られるものではなく、本発明の要旨を逸脱しない範囲の設計変更等も含まれる。例えば、図４の背景フレームにＯＳＤの配置位置を予め設定し、図２のステップＳ２０２で背景フレームを選択した時点でＯＳＤの配置を決める形態でもよい。また、本実施形態では、ライブビュー表示を行う画像のアングル方向やアスペクト比に合わせて静止画処理部１８２から出力する画像データを変更したが、ライブビュー表示で必要となる画像データのみをＣＣＤ部１１から取得するような構成でもよい。
【００４９】
なお、請求項１に記載の画像表示装置において、表示部とは、例えば図１のＬＣＤ部１９であり、表示形式とは、例えば、画像のアングル方向及びアスペクト比である。また、画像表示設定手段とは、例えば、図１のＣＰＵ１８４で行われる図２のステップＳ２０１の処理や、ステップＳ２０４において全画素データと背景の画素データとの差分から画像の表示形式を識別し表示領域を設定する処理のことである。設定情報とは、例えば、アイコンで表示されるＯＳＤである。また、設定情報配置決定手段とは、例えば、図１のＣＰＵ１８４で行われる図２のステップＳ２０３〜ステップＳ２０４の処理である。請求項２に記載の画像表示装置において、動作検出手段とは、例えばセンサ１５である。
【００５０】
請求項５に記載の撮像装置において、撮像素子とは、例えば、図１のＣＣＤ部１１である。請求項６に記載の撮像装置において、記憶手段とは、例えば、内蔵ＲＡＭ２１である。
【産業上の利用可能性】
【００５１】
本発明は、ＤＳＣ、ＤＶＣ等の撮像装置に用いて好適である。
【図面の簡単な説明】
【００５２】
【図１】本発明の実施形態に係る撮像装置の構成を示す構成図である。
【図２】ライブビュー表示において、図１のＬＣＤ部１９における各種アイコン（ＯＣＤ）の表示位置を決定する手順を示すフローチャートである。
【図３】図１の撮像装置１を背面から見た斜視図である。
【図４】アングル方向及びアスペクト比の設定と背景フレームとの対応関係を示す図である。
【図５】アングル方向が横向きである場合に、ＬＣＤ部１９におけるアイコン配置を示した図である。
【図６】アングル方向が縦向きである場合に、ＬＣＤ部１９におけるアイコン配置を示した図である。
【符号の説明】
【００５３】
１…撮像装置、１０…鏡筒、１１…ＣＣＤ部（撮像素子）、１２…ＡＦＥ部、１３…ＴＧ部、１４…モータドライバ、１５…センサ（動作検知手段）、１７…操作ボタン、１８…ＤＢＥ部、１９…ＬＣＤ部（表示部）、２０…外部記憶媒体、２１…内蔵ＲＡＭ（記憶手段）、１８１…画像信号処理部、１８２…静止画信号処理部、１８３…符号化回路、１８４…ＣＰＵ、１８５…ＬＣＤ制御部、１８６…メモリカード制御部、１８７…メモリ制御部
【図１】
2007180931.tif 000003
【図２】
2007180931.tif 000004
【図３】
2007180931.tif 000005
【図４】
2007180931.tif 000006
【図５】
2007180931.tif 000007
【図６】
2007180931.tif 000008